(57)【特許請求の範囲】
【請求項１】
サイドバーの動作を阻止するまたは可能にするためのスライダーを有するツイストタンブラー／サイドバー型錠のためのキーの製造に用いられるキーブランクであって、
キーボーと、
前記キーボーに設けられたキーストッパーと、
キーボーに近接したキーブレードであって、その長手方向の一端に沿って鉛直方向に配置される長手方向に延びた刻み表面部を有し、前記キーブレードと、
前記刻み表面部の下側に位置する、前記キーブレードの長手方向に延びたスライダー接触部であって、水平方向に少なくとも２つの部分に分けられたスライダー接触部表面構造を有する、前記スライダー接触部とを含み、
前記スライダー接触部表面構造が、前記キーブレードの一側に位置し、かつ前記キーボーから長手方向に離間した所定数の位置の少なくとも１つの位置に位置することを特徴とするキーブランク。
【請求項２】
前記スライダー接触部表面構造が、前記キーブレードの平面から水平方向に離間していることを特徴とする請求項１に記載のキーブランク。
【請求項３】
シリンダー錠の組合せであって、
少なくとも２つのスライダー接触部の表面構造を有する請求項２に記載された少なくとも２つのキーブランクと、
キー溝を備えたツイストタンブラー／サイドバー型錠のサイドバーの動作を阻止するまたは可能にするスライダーとを含み、
同じキー溝内に異なったキーブランクを挿入できるように選択的に配置された２つの接触表面部分が前記スライダーに設けられていることを特徴とするシリンダー錠の組合せ。
【請求項４】
キーの刻み、サイドバー、及びそのサイドバーの動作を選択的に阻止するまたは可能にするロッキングスライダーによって動作するツイストタンブラーを有する錠に用いる前記キーであって、
キーボーと、
キー溝内への前記キーの挿入を制限する前記キーボーに設けられたキーストッパーと、
複数の刻みが鉛直方向に沿って延在する長手方向に延びた上部縁を有するキーブレードと、
前記刻みの下側に位置する、前記キーブレードに沿って長手方向に延在するスライダー接触部であって、水平方向に少なくとも２つの部分に分けられたスライダー接触部表面構造を有する、前記スライダー接触部とを含み、
前記スライダー接触部表面構造が、適切に形成されたキーが前記キー溝内に挿入された時に前記ロッキングスライダーに接触してこのロッキングスライダーを移動させて、前記ロッキングスライダーによって前記サイドバーの動作が阻止されないようにすることを特徴とするキー。
【請求項５】
前記少なくとも２つの部分が、前記スライダーの異なる２つの表面部分に接触することを特徴とする請求項４に記載のキー。
【請求項６】
前記スライダー接触部表面構造及びそれらの表面部分が、前記キーの長手方向の軸から水平方向に離間していることを特徴とする請求項４に記載のキー。
【請求項７】
同じキー溝に挿入された時に、１つのキーはロッキングスライダーの動作を制御することができ、別のキーは前記ロッキングスライダーの動作を制御することができないように構成された、前記ロッキングスライダー、請求項４に記載されたキー、前記ロッキングスライダーの表面部分、及び前記各キーに設けられたスライダー接触部を有するツイストタンブラーサイドバー錠に用いるためのマスターキーシステム。
【請求項８】
ロッキングスライダーを有するツイストタンブラーサイドバー錠に用いるためのマスターキーシステムであって、キーが、長手方向に延びる上部縁に沿って鉛直方向に延びた刻みを有するキーブレードと、異なった所定位置に配置された２つの水平部分に分かれたスライダー接触部と、を含み、
前記ロッキングスライダーが異なった所定位置に配置された接触面を有するため、複数のマスターキーの変更形態が可能であることを特徴とするマスターキーシステム。
【発明の詳細な説明】
【発明の詳細な説明】
【０００１】
関連出願に対するクロスリファレンス
本願は、２００１年２月６日出願の米国特許出願第０９／７７６，９２９号の一部継続出願である２００１年１０月１９日出願の米国特許出願第０９／９８１，８０１号の一部継続出願である。
【０００２】
発明の分野
本発明は、本願に開示するタイプのツイストタンブラー／サイドバー‐スライダー制御シリンダー錠（twisting tumbler/sidebar-slider controlled cylinder locks）に用いるためのキー及びキーブランクの構造、並びにそのマスターキーシステムの改善に関する。
【０００３】
背景技術の説明
回転往復運動（ツイスト）タンブラーで錠を操作するためのキーが、通常は刻みが設けられたキーブレードの上部に刻まれている。このキーすなわち刻みがチゼルポイントばね荷重タンブラーピンと協働して、タンブラーピンを正確な位置に移動させ、シリンダーが回るようになる。このタイプの錠は、バージニア州セーラム（Salem）に所在のメデコ・セキュリティー・ロックス・インコーポレイテッド（Medeco Security Locks Inc.）が製造するメデコ錠（Medeco lock）として知られている。このタイプのメデコシリンダーは、周知であり、その構造及び動作は、例えば米国特許第３，４９９，３０２号（スペイン（Spain）ら）及び同第３，７２２，２４０号（スペインら）に開示されている。メデコ錠は、他の特許文献、例えば米国特許第４，６３５，４５５号（オリバー（Oliver））、同第４，７３２，０２２号（オリバー）、同第５，２８９，７０９号（フィールド（Field））、同第５，４１９，１６８号（フィールド）、及び同第５，５７０，６０１号（フィールド）にも開示されている。
【０００４】
ツイストタンブラー錠（twisting tumbler locks）の第１世代、例えば、メデコ・セキュリティー・ロックス社が製造する刻みのある回動ピンタンブラーは、マスターキーシステムを構築するために様々な形態のピンを利用している。この技術は、錠前の分野で周知である。
【０００５】
メデコ錠の第２世代は、ＢＩＡＸＩＡＬ（登録商標）として販売されており、キーのブレードに沿ってキー刻みをオフセットし、様々なオフセットチップが付いたピンを用意して、オリジナルのメデコ製品がマスターキーシステムに拡張されている。この構造及び技術は、例えば米国特許第４，６３５，４５５号（オリバー）及び同第４，７３２，０２２号（オリバー）に開示されている。
【０００６】
発明の要約
マスターキーシステムで動作する錠シリンダーを製造する鍵屋または鍵製造者の技術は錠前の分野でとても重要である。本発明は、メデコ錠に用いる第３レベルのロッキングスライダーと協働するように独特に製造されたキーブランク及びキーに主に依存する拡張されたマスターキーシステムにおける利点を提供する。このメデコ錠は、言及することを以って本明細書の一部とする米国特許出願第０９／９８１，８０１号に開示されている。
【０００７】
本発明のキーは、従来の刻み部、及びキーの長手方向に軸から水平方向に延出したキーブレードの側部のリブを有する。本発明のリブは、シリンダー内を軸方向に移動するスライダーに接触する前端部を備えている。リブの前端部及びスライダー接触面の構造、構成、及び配置を様々にすることにより、各施錠を個々のキーで行うことができ、複数の施錠をマスターキーで行うことができるユニークなマスターキーシステムを開発した。言い換えれば、新規のマスターキーシステムを、キーブランクの側部のリブがユニークに形成されたシリンダーのスライダー部材と相互作用するユニークな技術を用いて説明する。スライダー部材は、米国特許出願第０９／９８１，８０１号で説明されているように、キーがこのスライダー部材を正確に配置するまでシリンダーの動作を阻止するように機能する。
【０００８】
米国特許出願第０９／９８１，８０１号に、スライダーに接触するリブの前端部の変更形態、例えば、所定の角度に傾斜したリブ先端部、または垂直平面で段を有するリブ先端部が開示されている。本発明は、キーの水平面に沿って深さが様々なスライダーの前端部を提供する。更に、本発明は、米国特許出願第０９／９８１，８０１号に対して改善されている。つまり、キーのリブの前端部の構造、及びスライダー及びシリンダーの接触部の構造が水平方向の空間を有するように構成され、この空間を用いてマスターキー性能を大きく改善することができる。
【０００９】
本発明の上記及び他の特徴及び利点は、同じ要素に同じ参照番号で付されている添付の図面を参照しながら好適な実施形態の説明を読めば明らかになるであろう。
【００１０】
好適な実施形態の詳細な説明
まず図１ａ‐図１ｃを参照されたい。キーブランク１０は、キーヘッドまたはキーボー１０１、従来のようにキーボー１０１から延出したキーブレード部分１０３、及びキーストッパー１０２から構成されている。キーストッパー１０２は、錠シリンダープラグ内へのキーの挿入を制限する。キーブレード１０３は、垂直方向に２つの部分に別れている。上部は、刻みを有する部分１０４であり、底部は、スライダー接触リブ部分１０５である。
【００１１】
キーブランク１０の変更形態は、例えば、スライダー接触リブ１０６の長さを変更して得ることができる。このような変更形態は、キーストッパー１０２からスライダー接触リブ１０６の前端部１０７までの長手方向の長さが異なる。図１ａ‐図１ｃに例示されているように、キーブランク１０では、スライダー接触リブ１０６の前端部１０７が所定位置１に位置する。
【００１２】
図２ａ‐図２ｃに、キーストッパー２０２を備えた、構造が類似したキーブランク２０が示されている。このキーブランク２０では、スライダー接触リブ２０６の前端部２０７が所定位置２に位置する。
【００１３】
図３ａ‐図３ｃに、キーストッパー３０２を備えた、上記したキーブランクに類似したキーブランク３０が示されている。このキーブランク３０では、スライダー接触リブ３０６の前端部３０７が所定位置３に位置する。
【００１４】
図４ａ‐図４ｃに、キーストッパー４０２及びスライダー接触リブ４０６を備えたキーブランク４０が示されている。スライダー接触リブ４０６は、内側部分０７及び外側部分４０８の２つの離れた前端部を有する。図から分かるように、前端部の内側部分４０７は所定位置１に位置し、前端部の外側部分４０８は所定位置６に位置する。
【００１５】
図５を参照すると、キーストッパー５０２及びスライダー接触リブ５０６を備えた、構造が類似したキーブランク５０が示されている。このキーブランク５０では、前端部の内側部分５０７は所定位置２に位置し、前端部の外側部分５０８は所定位置６に位置する。
【００１６】
同様に、図６に例示されているキーブランク６０がキーストッパー６０２を有する。スライダー接触リブ６０６の前端部が、内側部分６０７と外側部分６０８の２つの部分を有する。前端部の内側部分６０７は所定位置３に位置し、前端部の外側位置６０８は所定位置６に位置する。
【００１７】
図１４ａ‐図１４ｃを参照すると、キーブランク４０００が、キーストパー４００２及びスライダー接触リブ４００６を有する。スライダー接触リブ４００６は、２つの接触端部４００７及び４００８を有する。接触端部４００７は、所定位置１に位置し、接触端部４００８は所定位置３に位置する。
【００１８】
メデコＢＩＡＸＩＡＬ（登録商標）錠は、本発明のキーブランクのスライダー接触リブを利用できるように変更することができる。図１５ａに、キーの側部にスライダー接触リブを備えたメデコＢＩＡＸＩＡＬ（登録商標）キーが例示されている。図１５ａ‐図１５ｃを参照すると、キー５０００は、ストッパー５００２及びスライダー接触リブ５００７を有する。
【００１９】
オリジナルのメデコシリンダー錠は、本発明のキーブランクのスライダー接触リブを利用できるように変更することができる。図１６ａに、キーの側部にスライダー接触リブを備えたオリジナルのメデコシリンダー錠が例示されている。図１６ａ‐図１６ｃを参照すると、キー６０００はストッパー６００２及びスライダー接触リブ６００７を有する。
【００２０】
図７及び図８を参照すると、スライダー７０が、その上面に、上記した関連出願で説明したようにシリンダー錠を解錠する前に正確に配置しなければならない少なくとも１つの突出部７０７を備えている。キーのスライダー接触リブに接触する接触部を含むキー接触リブ７０８が、スライダー７０の底部端に設けられている。スライダー７０では、接触部７１３は、キーのスライダー接触リブの前端部に接触するべく所定位置３に位置するように構成されている。他方の接触部７２１は、所定位置１に位置するように構成され、キーのスライダー接触リブの前端部に接触する接触面を有する。
【００２１】
図９に、接触部７１２、７２１を含むキー接触リブ７０８’及びスライダー本体７０９を有するスライダー７１の別の実施形態が示されている。接触部７１２及び７２１は、キーのスライダー接触リブに接触し、別の所定位置に位置するように構成されている。スライダー本体７０９に近い接触部７１２は、キーのスライダー接触リブの前端部に接触するべく所定位置２に位置するように構成されている。スライダー本体７０９から離れた接触部７２１は、キーのスライダー接触リブの前端部に接触するべく所定位置１に位置するように構成されている。
【００２２】
図１０を参照すると、別のスライダーの構造が示されている。このスライダー７２は、キーのスライダー接触リブに接触する接触部７１１及び７２１を有する。同様に、接触部７１１及び７２１は、２つの所定位置に位置するように構成されている。スライダー本体７０９に近い接触部７１１は、キーのスライダー接触リブの前端部に接触するべく所定位置１に位置するように構成されている。スライダー本体７０９から離れた接触部７２１は、キーのスライダー接触リブの前端部に接触するべく所定位置１に位置するように構成されている。
【００２３】
回転往復運動（ツイスト）タンブラーを用いてシリンダー錠を施錠／解錠するためのキーの動作を図１１‐図１３を用いて説明する。図１１ａ‐図１１ｃに例示されているように、錠シリンダープラグ９０は、メデコ型チゼルポイント回動可能タンブラーピン（不図示）を受容するタンブラーピンホール９１を含む。メデコ錠の分野で知られているサイドバーレッグ８１を備えたサイドバー８０が、錠シリンダープラグ９０内に配置されている。サイドバー８０は、キーがスライダー７０を正確に配置した時にスライダー７０の対応する突出部７０７（図７‐図１０）を受容する少なくとも１つのノッチを有する。スライダー７０は、錠シリンダープラグ９０のキャビティ９３内に適合し、錠シリンダープラグ９０のフェース９２に向かってばね（不図示）で付勢されている。例えば、図３ａ‐図３ｃに例示されているキー３０が錠シリンダープラグ９０内に挿入されると、スライダー７０の接触部７１３がキーの前端部３０７に接触して、スライダー７０が錠シリンダープラグ９０内に正確に配置される。
【００２４】
図１２ａ‐図１２ｃに例示されているように、スライダー７０を受容した錠シリンダープラグ９０は、例えば、図４ａ‐図４ｃに例示されているキー４０でも動作することができる。キー４０のスライダー接触リブ４０６は、前端部の内側部分４０７及び前端部の外側部分４０８を有する。前端部の内側部分４０７は所定位置１に位置し、前端部の外側部分４０８は所定位置６に位置している。前端部の内側部分４０７がスライダー７０の接触部７２１に接触して、スライダー７０が適切な動作位置に配置される。前端部の外側部分４０８は、スライダー７０の接触部７１３から十分に離間しており、接触部７１３には接触しない。
【００２５】
図１３ａ‐図１３ｃに例示されているように、スライダー７０を受容した錠シリンダープラグ９０は、例えばキー２０（図２ａ‐図２ｃ）では操作することができない。スライダー接触リブ２０６の前端部２０７は、所定位置２に位置している。キー２０が錠シリンダープラグ９０内に挿入されると、スライダー７０のキー接触リブ７１３がスライダー接触リブ２０６の前端部に接触する。スライダー７０が錠シリンダープラグ９０のフェース９２から離れすぎるため、突出部７０７がサイドバー８０のノッチ内に受容されない。
【００２６】
ここに開示したユニークなスライダー接触リブを備えたキーが、上記した関連出願に開示したユニークなスライダーを含む錠シリンダープラグ内に挿入されると、前記スライダーのキー接触面に接触するスライダー接触リブの第１の接触面によってスライダーが錠シリンダープラグ内に配置される。しかしながら、例えばキー４０００（図１４ａ‐図１４ｃ）がスライダー７０を含むシリンダー錠に用いられる場合、接触面４００７及び４００８がそれぞれ同時に接触部７１２及び７２１に接触し、両方の接触面４００７及び４００８によってスライダーが配置される。
【００２７】
キーブランクのスライダー接触リブを６つの所定位置に配置し、スライダー接触リブを２つの水平方向の接触面に分けると、１つのキー溝のシリンダー錠内に適合する２１の異なったキーブランクを形成することができる。
【００２８】
内側部分すなわち内側の水平方向接触面を１ａ、２ａ、３ａ、４ａ、５ａ、及び６ａとし、外側部分すなわち外側の水平方向接触面を１ｂ、２ｂ、３ｂ、４ｂ、５ｂ、及び６ｂとすると、キーブランクを以下の２１の組合せで形成することができる。
１ｂ‐１ａ
２ｂ‐１ａ
２ｂ‐２ａ
３ｂ‐１ａ
３ｂ‐２ａ
３ｂ‐３ａ
４ｂ‐１ａ
４ｂ‐２ａ
４ｂ‐３ａ
４ｂ‐４ａ
５ｂ‐１ａ
５ｂ‐２ａ
５ｂ‐３ａ
５ｂ‐４ａ
５ｂ‐５ａ
６ｂ‐１ａ
６ｂ‐２ａ
６ｂ‐３ａ
６ｂ‐４ａ
６ｂ‐５ａ
６ｂ‐６ａ
【００２９】
同様に、シリンダー錠のスライダーを同じ２１の異なった配置に形成することができる。
【００３０】
３ｂ‐１ａのスライダーを含む錠は、以下の構造のキーで操作することができる。
３ｂ‐１ａ
３ｂ‐２ａ
３ｂ‐３ａ
４ｂ‐１ａ
５ｂ‐１ａ
６ｂ‐１ａ
【００３１】
上記したキーブランクとスライダーの構造及び既存のメデコ・マスターキー技術を用いると、既知の現在利用できるマスターキーシステムよりも拡張された複雑なマスターキーシステムを提供することができる。
【００３２】
特定の実施形態を用いて本発明を説明したが、これらの実施形態が本発明の適用及び原理を単に例示するためのものであること理解されたい。添付の特許請求の範囲で規定される本発明の概念及び範囲から逸脱することなく、様々な他の構造が可能であり、他の構成を考案可能である。
【図面の簡単な説明】
【００３３】
【図１ａ】本発明に従ったキーブランクの側面図である。
【図１ｂ】図１ａのキーブランクの線Ａ‐Ａに沿って見た断面図である。
【図１ｃ】図１ａのキーブランクの底面図である。
【図２ａ】本発明に従った別の構造のキーブランクの側面図である。
【図２ｂ】図２ａのキーブランクの線Ｂ‐Ｂに沿って見た断面図である。
【図２ｃ】図２ａのキーブランクの底面図である。
【図３ａ】本発明に従った更に別の構造のキーブランクの側面図である。
【図３ｂ】図３ａのキーブランクの線Ｃ‐Ｃに沿って見た断面図である。
【図３ｃ】図３ａのキーブランクの底面図である。
【図４ａ】本発明に従った、スライダー接触リブに異なった構造の接触面を有するキーブランクの側面図である。
【図４ｂ】図４ａのキーブランクの線Ｄ‐Ｄに沿って見た断面図である。
【図４ｃ】図４ａのキーブランクの底面図である。
【図５ａ】本発明に従った、スライダー接触リブに異なった構造の接触面を有する別のキーブランクの側面図である。
【図５ｂ】図５ａのキーブランクの線Ｅ‐Ｅに沿って見た断面図である。
【図５ｃ】図５ａのキーブランクの底面図である。
【図６ａ】本発明に従った、スライダー接触リブに異なった構造の接触面を有する更に別のキーブランクの側面図である。
【図６ｂ】図６ａのキーブランクの線Ｆ‐Ｆに沿って見た断面図である。
【図６ｃ】図６ａのキーブランクの底面図である。
【図７】考えられる多数のキー接触部の形態の１つを例示するスライダーの底面図である。
【図８】図７に示されているスライダーの斜視図である。
【図９】図８に類似しているが、異なった構造のキーリブ接触面を有するスライダーの斜視図である。
【図１０】更に別の構造のキーリブ接触面を有するスライダーの斜視図である。
【図１１ａ】本発明に従った適切に形成されたキーブランクの動作を例示するシリンダー錠の側面図である。
【図１１ｂ】図１１ａに示されている配置を線Ｇ‐Ｇに沿って見た断面図である。
【図１１ｃ】図１１ａに示されている配置の底面図である。
【図１２ａ】本発明に従った適切に形成されたキーブランクの動作を例示する別のシリンダー錠の側面図である。
【図１２ｂ】図１２ａに示されている配置を線Ｈ‐Ｈに沿って見た断面図である。
【図１２ｃ】図１２ａに示されている配置の底面図である。
【図１３ａ】本発明に従った不適切に形成されたキーブランクの動作を例示するスライダー制御錠の側面図である。
【図１３ｂ】図１３ａに示されている配置を線Ｉ‐Ｉに沿って見た断面図である。
【図１３ｃ】図１３ａに示されている配置の底面図である。
【図１４ａ】本発明に従った、独特なリブ接触面を備えた別のキーブランクの側面図である。
【図１４ｂ】図１４ａのキーブランクの線Ｊ‐Ｊに沿って見た断面図である。
【図１４ｃ】図１４ａのキーブランクの底面図である。
【図１５ａ】本発明に従ったスライダー接触リブを含むメデコＢＩＡＸＩＡＬ（登録商標）キーを例示する側面図である。
【図１５ｂ】図１５ａのキーの線Ｋ‐Ｋに沿って見た断面図である。
【図１５ｃ】図１５ａのキーの底面図である。
【図１６ａ】本発明に従ったスライダー接触リブを含むオリジナルのメデコキーの側面図である。
【図１６ｂ】図１６ａのキーの線Ｌ‐Ｌに沿って見た断面図である。
【図１６ｃ】図１６ａのキーの底面図である。
【図１ａ】
0004509788.tif 000002
【図１ｂ】
0004509788.tif 000003
【図１ｃ】
0004509788.tif 000004
【図２ａ】
0004509788.tif 000005
【図２ｂ】
0004509788.tif 000006
【図２ｃ】
0004509788.tif 000007
【図３ａ】
0004509788.tif 000008
【図３ｂ】
0004509788.tif 000009
【図３ｃ】
0004509788.tif 000010
【図４ａ】
0004509788.tif 000011
【図４ｂ】
0004509788.tif 000012
【図４ｃ】
0004509788.tif 000013
【図５ａ】
0004509788.tif 000014
【図５ｂ】
0004509788.tif 000015
【図５ｃ】
0004509788.tif 000016
【図６ａ】
0004509788.tif 000017
【図６ｂ】
0004509788.tif 000018
【図６ｃ】
0004509788.tif 000019
【図７】
0004509788.tif 000020
【図８】
0004509788.tif 000021
【図９】
0004509788.tif 000022
【図１０】
0004509788.tif 000023
【図１１ａ】
0004509788.tif 000024
【図１１ｂ】
0004509788.tif 000025
【図１１ｃ】
0004509788.tif 000026
【図１２ａ】
0004509788.tif 000027
【図１２ｂ】
0004509788.tif 000028
【図１２ｃ】
0004509788.tif 000029
【図１３ａ】
0004509788.tif 000030
【図１３ｂ】
0004509788.tif 000031
【図１３ｃ】
0004509788.tif 000032
【図１４ａ】
0004509788.tif 000033
【図１４ｂ】
0004509788.tif 000034
【図１４ｃ】
0004509788.tif 000035
【図１５ａ】
0004509788.tif 000036
【図１５ｂ】
0004509788.tif 000037
【図１５ｃ】
0004509788.tif 000038
【図１６ａ】
0004509788.tif 000039
【図１６ｂ】
0004509788.tif 000040
【図１６ｃ】
0004509788.tif 000041